(57)【要約】【課題】５つのヘルムホルツ共鳴器（１４１〜１４５）におけるそれぞれの共鳴通路（１２５ｃ）の入口で発生する笛音様騒音による騒音の増大を回避しつつ、笛音様騒音を低減するための新たなヘルムホルツ共鳴器を設けることによるコストアップを回避する。【解決手段】共鳴通路１２４ｃの入口をポリゴンミラー４８に向けた姿勢で５つのヘルムホルツ共鳴器を配設し、ポリゴンミラー４８と、５つのヘルムホルツ共鳴器（１４１〜１４５）におけるそれぞれの共鳴通路（１２５ｃ）の入口との間に、折り返しミラー１２６を介在させた。回転するポリゴンミラー４８によって発生してヘルムホルツ共鳴器に向けて進んだ気流を、共鳴通路（１２５ｃ）の入口よりも手前で折り返しミラー１２６に当てて、その気流の入口への直接進入を防ぐようにした。【選択図】図３
2015215547.tif 000002
【特許請求の範囲】
【請求項１】
駆動源によって駆動した偏向鏡により、光源から発せられる光の進行方向を偏向する偏向手段と、前記偏向手段から発せられる騒音を低減するための共鳴空間、及び騒音を前記共鳴空間の外から中に導くために前記共鳴空間に連通する共鳴通路を具備する共鳴器と、少なくとも前記偏向手段及び前記反射部材を収容する筺体とを有する光走査装置において、
前記共鳴通路の入口を前記偏向鏡の鏡面投影領域内に位置させつつ、前記偏向鏡の鏡面と前記入口との間に、前記偏向鏡とは別の光学系部品を介在させるように、前記共鳴器を配設したことを特徴とする光走査装置。
【請求項２】
請求項１に記載の光走査装置において、
前記共鳴器を複数設け、
且つ、それら複数の前記共鳴器にそれぞれ設けられた前記共鳴通路の入口の全てと、前記偏向鏡の鏡面との間に、前記別の光学系部品を介在させたことを特徴とする光走査装置。
【請求項３】
請求項１又は２に記載の光走査装置において、
前記筐体の側壁を前記共鳴器の前記共鳴通路が設けられた側壁として兼用し、前記共鳴器における前記側壁を除く他の側壁を前記筐体に対して外部から固定し、且つ、前記別の光学系部品を配設しない状態の前記筐体内で前記偏向鏡を経由した後の光の光路上に前記共鳴通路を配設したことを特徴とする光走査装置。
【請求項４】
請求項１乃至３の何れかに記載の光走査装置において、
前記偏向鏡から発生した後、前記共鳴器に向かう方向とは異なる方向に進行した音を、前記共鳴器に向けて反射させる反射壁を、前記筐体内に設けたことを特徴とする光走査装置。
【請求項５】
請求項４に記載の光走査装置において、
前記反射壁として、互いに前記偏向鏡を介して相対向しながら、偏向鏡側から共鳴器側に向けて末広がりとなる姿勢で配設された２つの反射壁からなる反射壁対を設けたことを特徴とする光走査装置。
【請求項６】
請求項４又は５に記載の光走査装置において、
前記反射壁を、補強のためのリブ壁として兼用したことを特徴とする光走査装置。
【請求項７】
走査対象物たる感光体と、光走査によって前記感光体に潜像を形成する光走査手段と、前記潜像を現像する現像手段とを備える画像形成装置において、
前記光走査手段として、請求項１乃至６の何れかに記載の光走査装置を用いたことを特徴とする画像形成装置。
【発明の詳細な説明】
【技術分野】
【０００１】
本発明は、駆動源によって駆動した偏向鏡により、光源から発せられる光の進行方向を偏向する偏向手段を有する光走査装置や、これを搭載した画像形成装置に関するものである。
【背景技術】
【０００２】
従来、この種の光走査装置として、特許文献１に記載のものが知られている。この光走査装置は、駆動源たるモーターによって回転させた偏向鏡としての回転多面鏡により、レーザー光源から発せられるレーザー光の進行方向を偏向する。かかる構成では、回転する回転多面鏡のミラー面のエッジによる風切り音が騒音になってしまう。また、モーターが駆動に伴って発生させる音も騒音になってしまう。それらの騒音を低減するために、特許文献１に記載の光走査装置においては、それらの騒音に適した共振周波数で共鳴する共鳴器を、光走査装置の筐体に一体に設けている。そして、この共鳴器による共鳴によって騒音を減衰させることで、騒音を低減することができる。
【発明の概要】
【発明が解決しようとする課題】
【０００３】
しかしながら、この光走査装置においては、レイアウト上の制約などにより、共鳴器を回転多面鏡の多面鏡を囲む周囲領域に配設するレイアウトを採用した場合に、新たな騒音を発生させてしまうおそれがある。具体的には、この光走査装置は、一方の面にモーターを固定した支持板の他方の面側に、モーターに連結された回転多面鏡を位置させている。回転多面鏡は回転に伴って気流を発生させるが、その気流と共鳴器の共鳴通路との間にはモーターを固定した支持板が介在している。このため、回転多面鏡の回転に伴って発生した気流を共鳴通路の入口に直接到達させることがない。ところが、レイアウト上の制約により、回転多面鏡の多面鏡を囲む周囲領域に共鳴器を配設すると、回転多面鏡の回転に伴って発生する気流が、共鳴器の共鳴通路の入口に直接到達して、笛音のような新たな騒音（以下、笛音様騒音という）を発生させてしまうおそれがある。この笛音様騒音も低減するために、笛音様騒音に適した共振周波数の共鳴器を新たに設置すると、コストアップを引き起こしてしまう。
【０００４】
なお、回転多面鏡の多面鏡を囲む周囲領域に共鳴器を配設する場合に生ずる問題について説明したが、回転に限らず、揺動動作などの何らかの動作をする偏向鏡を用いる場合には、共鳴器をその偏向鏡の鏡面投影領域に配設するレイアウトで同様の問題が生じ得る。
【０００５】
本発明は、以上の背景に鑑みてなされたものであり、その目的とするところは、次のような光走査装置や、これを備える画像形成装置を提供することである。即ち、共鳴器を偏向鏡の鏡面投影領域内に位置させるレイアウトにて、笛音様騒音による騒音の増大を抑えつつ、笛音様騒音を低減するための共鳴器を新たに設けることによるコストアップを回避することができる光走査装置等である。
【課題を解決するための手段】
【０００６】
上記目的を達成するために、本発明は、駆動源によって駆動した偏向鏡により、光源から発せられる光の進行方向を偏向する偏向手段と、前記偏向手段から発せられる騒音を低減するための共鳴空間、及び騒音を前記共鳴空間の外から中に導くために前記共鳴空間に連通する共鳴通路を具備する共鳴器と、少なくとも前記偏向手段及び前記反射部材を収容する筺体とを有する光走査装置において、前記共鳴通路の入口を前記偏向鏡の鏡面投影領域内に位置させつつ、前記偏向鏡の鏡面と前記入口との間に、前記偏向鏡とは別の光学系部品を介在させるように、前記共鳴器を配設したことを特徴とするものである。
【発明の効果】
【０００７】
本発明によれば、共鳴器を偏向鏡の鏡面投影領域内に位置させるレイアウトにおいて、笛音様騒音による騒音の増大を抑えつつ、笛音様騒音を低減するための共鳴器を新たに設けることによるコストアップを回避することができる。
【図面の簡単な説明】
【０００８】
【図１】実施形態に係る複写機を示す概略構成図。
【図２】同複写機のポリゴンモーターやポリゴンミラーを３４０００ｒｐｍの速度で回転させた時に発生する騒音の測定結果を示すグラフ。
【図３】同複写機の光走査装置を示す平面図。
【図４】蓋部材を取り外した状態の同光走査装置を示す分解平面図。
【図５】図４のＡ−Ａ’破断線の位置で破断された光走査装置の破断部を示す斜視図。
【図６】同破断部を示す正面図。
【図７】蓋部材を取り外した状態の同破断部を示す平面図。
【図８】同破断部を側方から示す斜視図。
【図９】同複写機の一部を示す部分分解斜視図。
【図１０】同一部を他の方向から示す部分分解斜視図。
【発明を実施するための形態】
【０００９】
以下、本発明を適用した画像形成装置の一例として、複写機５００の一実施形態について説明する。なお、実施形態に係る複写機５００は、モノクロ画像だけを形成するものであるが、フルカラー画像のような多色画像を形成する画像形成装置にも本発明の適用が可能である。
【００１０】
まず、実施形態に係る複写機５００の基本的な構成について説明する。
図１は、実施形態に係る複写機５００を示す概略構成図である。この複写機５００は、プリンタ部１００、画像読取装置２００、記録シートバンク３００、自動原稿搬送装置４００などを備えている。プリンタ部１００は、記録シートバンク３００の真上に載置されており、プリンタ部１００の真上には画像読取装置２００が固定されている。そして、画像読取装置２００の真上には、自動原稿搬送装置４００が取り付けられており、背面側（図中紙面に直交する方向の裏側）に設けられた蝶番を支点にして回動することで、画像読取装置２００のコンタクトガラスに対して開閉する。
【００１１】
プリンタ部１００の内部には、潜像担持体としてドラム状の感光体１０、帯電装置１１、現像装置１２、転写ユニット１３、クリーニング装置１４、トナー補給装置２０、定着装置２２などが設けられている。トナー像が形成される感光体１０の回りには、帯電ローラを具備する帯電装置１１、現像装置１２、転写ユニット１３、クリーニング装置１４などが配設されている。これらのうち、感光体１０、帯電装置１１、現像装置１２及びクリーニング装置１４は、共通の保持体に保持された状態でプリンタ部１００に対して一体的に着脱されるプロセスカートリッジとして構成されている。
【００１２】
現像装置１２は、現像剤担持体としての現像ローラの表面に担持したトナーを用いて感光体１０上の静電潜像を現像して、感光体１０の表面上にトナー像を形成するものである。また、転写ユニット１３は、自らのループ内側に配設された転写下流側ローラ１５、転写上流側ローラ１６、これら２つのローラに張架されて図中時計回り方向に無端移動する転写ベルト１７などを有している。転写ベルト１７は、転写位置Ｂにおいて感光体１０の周面に当接して転写ニップを形成している。
【００１３】
帯電装置１１やクリーニング装置１４の図中左側には、現像装置１２に新しいトナーを補給するトナー補給装置２０が設けられている。また、プリンタ部１００の図中右側端部には、記録シートバンク３００の記録シートカセット６１から送り出された記録シートＰを、鉛直方向下方から上方に向けて搬送する記録シート搬送装置６０が設けられている。この記録シート搬送装置６０は、給紙路Ｒ１、給紙路Ｒ２を経た記録シートＰを、記録シート搬送路Ｒに沿って、転写位置Ｂと記録シート搬送路Ｒとに通した後にスタック部３９まで搬送する。記録シート搬送路Ｒにおける転写位置Ｂよりも搬送方向の上流側には、レジストローラ対２１が設けられている。また、転写位置Ｂよりも搬送方向の下流側には、定着装置２２が設けられている。
【００１４】
定着装置２２は、加熱部材である加熱ローラ３０と加圧部材である加圧ローラ３２とを当接させて定着ニップを形成しており、この定着ニップに挟み込んだ記録シートＰを加熱及び加圧して、トナー像を記録シートＰの表面に定着させる。定着装置２２よりも記録シート搬送方向下流側には、排出分岐爪３４、排出ローラ３５、第一加圧ローラ３６、第二加圧ローラ３７、コシ付ローラ３８などが配設されている。また、定着装置２２を経た画像定着済みの記録シートＰをスタックするスタック部３９も設けてられている。
【００１５】
現像装置１２の図中左側方には、光走査装置４７が配設されている。この光走査装置４７は、偏向鏡たるポリゴンミラー４８と駆動源たるポリゴンモーター４９とを具備する偏向手段としてのポリゴンスキャナー１２０を有している。また、図示しないレーザー光源等の走査光学系も備えている。プリンタ部１００の図中右側方には、スイッチバック装置４２が設けられている。このスイッチバック装置４２は、記録シート搬送路Ｒの排出分岐爪３４が配置された位置から分岐した反転路Ｒ３と、記録シートＰを再び記録シート搬送路Ｒのレジストローラ対２１の位置まで導く再搬送路Ｒ４とに沿って記録シートＰを搬送する。反転路Ｒ３及び再搬送路Ｒ４には、一対のスイッチバックローラ対４３や、他の複数の記録シート搬送ローラ対６６などが配設されている。
【００１６】
画像読取装置２００は、読取光源５３、複数のミラー５４、結像用光学レンズ５５、ＣＣＤ等からなるイメージセンサ５６などを備えており、その上面にはコンタクトガラス５７が設けられている。また、自動原稿搬送装置４００には、図示しない原稿セット台や、原稿の排出位置として図示しない原稿スタック台などが設けられている。自動原稿搬送装置４００は、複数の原稿搬送ローラを具備しており、この原稿搬送ローラによって、原稿は、原稿セット台から画像読取装置２００のコンタクトガラス５７上の読取位置を経て原稿スタック台まで搬送する。
【００１７】
記録シートバンク３００の内部には、記録紙やＯＨＰフィルム等の記録シートＰを収納する記録シートカセット６１が複数重ねて設けられている。それぞれの記録シートカセット６１には、呼出ローラ６２、給紙ローラ６３及び分離ローラ６４が設けられている。
【００１８】
記録シートカセット６１の図中右側には、プリンタ部１００の記録シート搬送路Ｒへと通じる上述した給紙路Ｒ１が形成されている。この給紙路Ｒ１にも、記録シートＰを搬送するいくつかの記録シート搬送ローラ対６６が設けられている。また、記録シートバンク３００の図中右側方には、手差し給紙部６８が設けられている。この手差し給紙部６８には、手差しトレイ６７が開閉自在に設けられており、その手差しトレイ６７上にセットされた手差し記録シートＰを記録シート搬送路Ｒへと導く上述した手差し給紙路Ｒ２が形成されている。この手差し給紙部６８にも、記録シートカセット６１と同様に、呼出ローラ６２、給紙ローラ６３及び分離ローラ６４が設けられている。
【００１９】
複写機５００を用いてコピーをとる際には、まず、図示しないメインスイッチをオンにする。そして、綴じていない原稿の場合には、原稿を自動原稿搬送装置４００の原稿セット台にセットする。また、ブック原稿のような片綴じ原稿の場合には、自動原稿搬送装置４００を開いて画像読取装置２００のコンタクトガラス５７上に原稿をセットした後、自動原稿搬送装置４００を閉じて原稿をコンタクトガラス５７に押さえ付ける。そして、図示しないスタートスイッチを押すと、自動原稿搬送装置４００にセットされた原稿は、自動原稿搬送装置４００の原稿搬送ローラによって原稿搬送路内で搬送される過程でコンタクトガラス５７上を通過する。この際、画像読取装置２００によって原稿の画像が読み取られた後、原稿は自動原稿搬送装置４００の原稿スタック台上に排出される。一方、コンタクトガラス５７上に押し付けられた片綴じ原稿は、画像読取装置２００の駆動によって原稿画像が読み取られる。この際、画像読取装置２００は、読取光源５３をコンタクトガラス５７に沿って移動させながら、その読取光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿画像を読み取る。
【００２０】
原稿画像の読み取りが開始されると、プリンタ部１００は、図示しない感光体駆動モーターを駆動して感光体１０を図中反時計回り方向に回転させる。そして、帯電装置１１によって感光体１０の表面を一様に帯電せしめながら、帯電後の感光体１０の表面に対して光走査装置４７による光走査を行う。この光走査により、感光体１０の表面におけるレーザー光Ｌが照射された領域は、電位を減衰させて静電潜像になる。この静電潜像は、現像装置１２によってトナーが付着せしめられて可視像化されることで、トナー像になる。
【００２１】
一方、上述のスタートスイッチが押されたことをトリガーにして、記録シートバンク３００における複数の記録シートカセット６１のうち、予めユーザーに選択されたものが、呼出ローラ６２によって記録シートＰを送り出す。送り出された記録シートＰは、給紙ローラ６３と分離ローラ６４との当接による分離ニップを通過する際に一枚に分離され、その一枚が給紙路Ｒ１に案内された後に、記録シート搬送ローラ対６６によって記録シート搬送路Ｒへと導かれる。その後、レジストローラ対２１に突き当たって止められる。なお、ユーザーは、手差し給紙部６８を選択した場合には、広げた状態の手差しトレイ６７に記録シートＰをセットする。この場合、記録シートＰは、呼出ローラ６２によって送り出された後、給紙ローラ６３及び分離ローラ６４によって一枚に分離されて手差し給紙路Ｒ２に搬送される。その後、記録シート搬送ローラ対６６によって記録シート搬送路Ｒに導かれた後、レジストローラ対２１に突き当たって止められる。
【００２２】
このようにして、レジストローラ対２１に突き当たった記録シートＰは、レジストローラ対２１により、上述した転写ニップで感光体１０の表面上のトナー像と同期するタイミングで転写ニップ（転写位置Ｂ）に送り込まれる。そして、転写ユニット１３によって感光体１０上のトナー像が転写された後、転写ニップから排出される。
【００２３】
転写ニップを通過した感光体１０の表面には、転写残トナーが付着している。この転写残トナーは、クリーニング装置１４によって感光体１０の表面から除去される。クリーニング後の感光体１０の表面は、不図示の除電ランプによって除電された後、帯電装置１１によって再び一様に帯電せしめられる。
【００２４】
また、転写ニップを通過した記録シートＰは、転写ベルト１７によって搬送されて定着装置２２に送られる。そして、定着装置２２内において、加熱ローラ３０と加圧ローラ３２との当接による定着ニップに挟み込まれて加熱及び加圧されながら、その表面にトナー像が定着せしめられる。
【００２５】
このようにしてトナー像が定着せしめられた記録シートＰは、定着装置２２から排出された後、排出ローラ３５、第一加圧ローラ３６、第二加圧ローラ３７、コシ付ローラ３８を順次通過した後、スタック部３９上に排出されて、そこにスタックされる。
【００２６】
記録シートＰの両面に画像を形成する両面プリントモードが選択されている場合に、片面だけにトナー像が定着せしめられた記録シートＰは、定着装置２２を出ると、排出分岐爪３４によって反転路Ｒ３に導かれる。そして、記録シート搬送ローラ対６６によってスイッチバック位置４４に進入した後、スイッチバックローラ対４３によってスイッチバックされて、今度は再搬送路Ｒ４に導かれる。その後、記録シート搬送ローラ対６６によって再び記録シート搬送路Ｒに導かれた後、レジストローラ対２１を経由して転写ニップでもう一方の面にトナー像が転写される。その後は、片面プリントモードと同様にして、スタック部３９上に排出される。
【００２７】
光走査装置４７においては、ポリゴンモーター４９やポリゴンミラー４８を回転駆動させるポリゴンスキャナー１２０から、それらの回転周期に依存する特定の周波数にピークを持つ騒音が発生する。図２は、ポリゴンモーター４９や正六面体のポリゴンミラー４８を３４０００ｒｐｍの速度で回転させた時に発生する騒音の測定結果を示すグラフである。図示のように、ポリゴンスキャナー１２０から発生する騒音は、ポリゴンミラー４８の１回転成分（回転周波数）の音（摺動音）と、ポリゴンミラー４８の１面成分（１面周波数）の音（風切り音）とが主である。これらの音が、光走査装置４７内の空気中を伝播した後、光走査装置４７の筐体に伝搬してから、光走査装置４７の外部の空気に伝搬して騒音として認識される。３４０００ｒｐｍの条件では、１回転成分の騒音が周波数５６６［Ｈｚ］の音として発生し、且つ１面成分の騒音が周波数３４００［Ｈｚ］の音として発生する。
【００２８】
これらの騒音の対策として、光走査装置４７内の空間のうち、ポリゴンスキャナー１２０の収容空間を、他の空間から密閉した密閉空間にすることで、騒音をその密閉空間内に閉じ込める方法が考えられる。しかしながら、この方法では、ポリゴンモーター４９から発せられる熱により、密閉空間内の温度を過剰に上昇させて、過熱による種々の不具合を引き起こしてしまうおそれがある。
【００２９】
また、騒音の対策の別方法として、光走査装置４７の内部の全体を密閉空間にする方法が考えられる。しかしながら、この方法では、良好な密閉効果が得られず、ポリゴンスキャナー１２０から発せられる騒音を光走査装置４７の外部に多く漏らしてしまうおそれがある。
【００３０】
そこで、実施形態に係る複写機５００においては、光走査装置４７内に、共鳴器としてのヘルムホルツ吸音器を設け、このヘルムホルツ吸音器の共鳴により、ミラー１回転成分の騒音や、ミラー１面成分の騒音を低減するようになっている。
【００３１】
ヘルムホルツ吸音器は、内容量（Ｖ）の共鳴空間と、その共鳴空間を外部空間と連通させるための長さ（Ｌ）、断面積（Ｓ）の共鳴通路とを具備している。このヘルムホルツ吸音器の共鳴周波数ｆは、「ｆ＝（ｃ／２π）・（Ｓ／Ｖ・（Ｌ＋δ））１／２」という式によって表される。Ｖは共鳴空間の内容量、Ｌは共鳴通路の長さ、Ｓは共鳴通路の断面積、ｃは音速、δは開口端補正値である。開口端補正値δは、共鳴通路の入口近傍での共鳴の影響を補正するものであり、一般的には０．５〜１．２あたりを利用する。
【００３２】
ところが、このようなヘルムホルツ吸音器を設けた場合に、ポリゴンミラー４８の回転に伴って発生する気流が、ヘルムホルツ吸音器の共鳴通路の入口に当たることで、笛音のような笛音様騒音を発生させてしまうおそれがあった。この笛音様騒音も低減するために、笛音様騒音の周波数と同じ共振周波数のヘルムホルツ吸音器を新たに設置すると、コストアップを引き起こしてしまう。
【００３３】
次に、実施形態に係る複写機５００の特徴的な構成について説明する。
図３は光走査装置４７を底面側から示す分解斜視図である。同図の光走査装置４７は、同図の状態から上下反転された姿勢で複写機５００にセットされる。光走査装置４７は、ポリゴンスキャナー１２０や、ｆθ補正機能及び面倒れ補正機能を併せ持った走査レンズ１２８などの光学系を、筐体１２５内に収容している。筐体１２５は、鉛直方向の下方を向く保守点検用の開口を具備する本体部１２５ｂ、及び本体部１２５ｂの開口を閉じる底蓋部材１２５ａを有している。ポリゴンスキャナー１２０は、正六面体のポリゴンミラー４８の他、これを回転駆動するためのポリゴンモーターなどを具備しているが、同図では、ポリゴンモーターがポリゴンミラー４８に隠れて見えなくなっている。底蓋部材１２５ａは、本体部１２５ｂに固定されることで、本体部１２５ｂの開口を覆う。
【００３４】
同図において、共鳴器ユニット１３０は、ポリゴンミラー４８の鏡面投影領域内に位置している。鏡面投影領域は、鏡面の全面から鏡面に直交する方向に延ばした領域であり、実際の影とは異なり、途中に何らかの部材が存在していても、それを透過して延在していく領域である。鏡面が曲面の場合には、曲面の全面から法線方向に延ばした領域である。また、本発明に係る偏向鏡は、動作するものであるので、その動作によってとり得るあらゆる姿勢の鏡面からそれぞれ延ばした領域である。正六面鏡の場合には、その回転軸を中心にした正六面鏡を囲む周囲領域が鏡面投影領域である。
【００３５】
なお、図１では、複写機本体よりも図中右側が複写機本体の右側方であり、図中左側が複写機本体の左側方である。また、図紙面に直交する方向の手前側が複写機本体の前方であり、同方向の奥側が複写機本体の後方である。一方、図３において、矢印ｙ方向の下流側が複写機本体の右側であり、矢印ｙ方向の上流側が複写機本体の左側であり、矢印ｘ方向の下流側が複写機本体の後側であり、矢印ｘ方向の上流側が複写機本体の前側である。また、矢印ｚ方向の下流側が複写機本体の下側であり、矢印ｚ方向の上流側が複写機本体の上側である。つまり、図３においては、光走査装置４７の実際の姿勢に対して、右と左とが逆転し、且つ上と下とが逆転している。光走査装置４７は、図示の姿勢から約９０℃だけ時計回り方向に回転した姿勢で複写機本体にセットされる。
【００３６】
図３において、光走査装置４７は、共鳴器ユニット１３０を具備している。筐体１２５の本体部１２５ｂの右側壁（図中左側の側壁）は、この共鳴器ユニット１３０の左側壁（ユニットにおける図中右側の側壁）を兼ねている。共鳴器ユニット１３０における左側壁を除く３つの側壁及び天井壁からなる共鳴ユニットカバー１３１は、本体部１２５ｂの右側壁に対して外部からネジや両面テープなどによって固定されている。溶着や接着などで固定してもよい。なお、底蓋部材１２５ａは、共鳴器ユニット１３０の底壁も兼ねている。本体部１２５ａから底蓋部材１２５ａが取り外された状態では、本体部１２５ｂの開口が露出するとともに、共鳴ユニットカバー１３１の後述する５つのヘルムホルツ共鳴器におけるそれぞれの共鳴空間も外部に露出する。
【００３７】
共鳴器ユニット１３０は、複写機本体の前後方向に並ぶ第１ヘルムホルツ共鳴器１４１、第２ヘルムホルツ共鳴器１４２、第３ヘルムホルツ共鳴器１４３、第４ヘルムホルツ共鳴器１４４、及び第５ヘルムホルツ共鳴器１４５を具備している。複写機本体に対し、第１ヘルムホルツ共鳴器１４１が最も後側に位置しており、且つ、第５ヘルムホルツ共鳴器１４５が最も前側に位置している。それら５つのヘルムホルツ共鳴器１４５におけるそれぞれの共鳴通路として機能する５つの貫通穴１２５ｃが複写機本体の前後方向に並ぶように本体部１２５ｂの右側壁に形成されている。５つのヘルムホルツ共鳴器はそれぞれ共鳴空間を具備しており、それら共鳴空間は、前述した貫通穴（共鳴通路）１２５ｃを通じて、筺体１２５の内部空間と連通している。ポリゴンスキャナー１２０から発生した騒音は、それら貫通穴１２５ｃを通じて、それぞれのヘルムホルツ共鳴器の共鳴空間に進入して、ヘルムホルツ共鳴器を共鳴させる。この共鳴により、騒音が低減される。
【００３８】
図４は、蓋部材（１２５ａ）を取り外した状態の光書込装置４７を示す分解平面図である。同図において、レーザー光源１２７は、本体部１２５ｂの後壁に対して外側から固定されているが、レーザー光源１２７のレーザー出射部１２７ａは、前記後壁に設けられた図示しない貫通口を通じて本体部１２５ｂの内部に進入している。レーザー出射部１２７ａから出射されたレーザー光は、コリメートレンズ１２１と、シリンドリカルレンズ１２２とを順に通過した後、回転駆動されるポリゴンミラー４８における６つのミラー面の何れかに到達する。このとき、そのミラー面の角度に応じた角度で反射することで、偏向せしめられる。反射角度によっては、感光体（１０）の軸線方向である主走査方向の走査対象領域から外れた方向に進み、同期ミラー１２９上で反射した後に同期レンズ１２４を経由してから同期受光センサー１２３に受光される。この受光タイミングに基づいて、主走査方向における１番目の画素についてのレーザー書込タイミングの同期が図られる。
【００３９】
ポリゴンミラー４８のミラー面で反射したレーザー光の進行方向が感光体（１０）の走査対象領域に到達する方向である場合には、ミラー面で反射したレーザー光は、次のようにして感光体（１０）の表面に至る。即ち、同期ミラー１２９に当たることなく走査レンズ１２８を通過し、反射部材としての折り返しミラー１２６で反射して感光体（１０）の表面に至る。
【００４０】
図示のように、共鳴器ユニット１３０における５つのヘルムホルツ共鳴器（１４１〜１４５）は何れも、貫通穴（共鳴通路）１２５ｃの入口を偏向鏡たるポリゴンミラー４８に向ける姿勢で配設されている。
【００４１】
図５は、蓋部材（１２５ａ）を取り外した状態の光書込装置４７の後端部を示す分解斜視図である。同図において、折り返しミラー１２６は、本体部１２５ｂの内部において、本体部１２５ｂの右側壁（共鳴器ユニット１３０の左側壁を兼ねている壁）の近傍に配設されている。そして、３つのヘルムホルツ共鳴器（１４１〜１４３）におけるそれぞれの貫通穴（共鳴通路）１２５ｃの入口と、ポリゴンミラー４８との間に介在している。同図では、５つのヘルムホルツ共鳴器のうち、３つしか示されていないが、折り返しミラー１２６は、５つのヘルムホルツ共鳴器にそれぞれ設けられた貫通穴（共鳴通路）の入口の全てと、ポリゴンミラー４８との間に介在している。
【００４２】
図６は、光走査装置４７の一部を破断して示す部分分解斜視図である。また、図７は、光走査装置４７の一部を示す部分断面図である。これらの図に示されていないポリゴンミラー（図５の４８）は、折り返しミラー１２６を介して、ヘルムホルツ共鳴器（１４１〜１４５）の貫通穴（共鳴通路）１２５ｃの入口に対向している。回転するポリゴンミラーからヘルムホルツ共鳴器（１４１〜１４５）の貫通穴（共鳴通路）１２５ｃの入口に向けて真っ直ぐに進んできた気流は、貫通穴（共鳴通路）１２５ｃの手前で折り返しミラー１２６に当たって方向転換する。このように、折り返しミラー１２６は、ポリゴンミラーで発生してヘルムホルツ共鳴器（１４１〜１４５）の貫通穴（共鳴通路）１２５ｃの入口に向けて進む気流の入口への直接到達を阻止する。折り返しミラー１２６に当たって方向転換するのに伴って勢いを弱められた気流の一部が乱流となって折り返しミラー１２６を超えてヘルムホルツ共鳴器の貫通穴１２５ｃの入口に到達したとしても、勢いの弱いその乱流による笛音用騒音は殆ど発生しない。このように、折り返しミラー１２６が気流の貫通穴（共鳴通路）１２５ｃの入口への直接到達を阻止して笛音様騒音の発生を抑えることで、笛音用騒音に起因する騒音の増大を抑えることができる。更には、笛音様騒音を低減するための新たなヘルムホルツ共鳴器を設けなくても、笛音様騒音の発生を抑えることが可能であることから、新たなヘルムホルツ共鳴器を設けることによるコストアップを回避することもできる。また、５つのヘルムホルツ共鳴器におけるそれぞれの底壁を、底蓋部材１２５ａによって兼用することで、低コスト化を図ることができる。更には、また、５つのヘルムホルツ共鳴器におけるそれぞれの左側壁を本体部１２５ａの右側壁と兼用することによっても、低コスト化を図ることができる。
【００４３】
図８は、蓋部材（１２５ａ）を取り外した状態の光走査装置４７の一部を示す分解平面図である。同図において、筺体の本体部１２５における右側壁（共鳴器ユニット１３０の左側壁と兼用している壁）の内面には、筺体内側に向けて突出する第１突出内壁１２５ｂ−１及び第２突出内壁１２５ｂ−２が設けられている。そして、複写機本体の前後方向（同図における折り返しミラー１２６の長手方向）において、第１突出内壁１２５ｂ−１と第２突出内壁１２５ｂ−２との間に折り返しミラー１２６を挟み込んでいる。これにより、筺体内部における折り返しミラー１２６と本体部１２５ｂの前側壁（貫通穴１２５ｃが設けられている側壁）との間の空間の両サイド（ミラー長手方向の一端側と他端側）を２つの突出内壁（１２５ｂ−１、１２５ｂ−２）によって塞いでいる。かかる構成では、折り返しミラー１２６よりも手前側（ポリゴンミラー側）で折り返しミラー１２６に当たった気流の一部が乱流となって両サイドに回り込んでも、前記空間への進入が突出内壁によって阻止される。これにより、貫通穴（共鳴通路）１２５ｃの入口に到達する気流の量をより低減することで、笛音様騒音による騒音の増大をより抑えることができる。
【００４４】
上述したように、実施形態に係る複写機５００においては、前記筐体の本体部１２５ｂの右側壁を、共鳴器ユニット１３０の左側壁として兼用し、共鳴ユニットカバー１３１を本体部１２５ｂの右側壁に対して外部から固定している。また、この複写機においては、反射部材たる折り返しミラー１２６を配設しない状態の筐体１２５内でポリゴンミラー４８を経由した後のレーザー光の光路上に、５つのヘルムホルツ共鳴器の貫通穴（共鳴通路）１２５ｃを配設している。かかる構成では、図９に示されるように、折り返しミラー（１２６）及び共鳴ユニットカバー（１３１）を取り外した状態で運転すると、ポリゴンミラー４８を経由した後のレーザー光が、貫通穴１２５ｃを通過して光走査装置４７の外部に出射することになる。かかる構成では、光走査装置４７の製造時に、光走査装置４７の外部に配設したＣＣＤカメラ１６０等により、レーザー光のビーム径を測定することが可能になることから、次のようなことを行うことができるようになる。即ち、感光体像面距離で所望のビーム径を得るために、コリメートレンズ１２１やシリンドリカルレンズ１２２の微調整を行うことができるようになる。このような微調整を行った後、折返しミラー１２６や共鳴ユニットカバー１３１を取り付けることで、光走査装置４７を完成させればよい。
【００４５】
本体部１２５ｂの内部には、折り返しミラー１２６の長手方向に沿って相対向する第１反射壁１２５ｂ−３及び第２反射壁１２５ｂ−４からなる反射壁対が設けられている。それら２つの反射壁はポリゴンミラー４８を介して相対向しながら、ポリゴンミラー４８側から共鳴器ユニット１３０側に向けて末広がりとなる姿勢で配設されている。それら反射壁からなる反射壁対は、図１０に示されるように、ポリゴンミラー４８から発生した後、共鳴器ユニット１３０に向かう方向とは異なる方向に進行した音を、共鳴器ユニット１３０に向けて反射させる。これにより、筐体１２５内からの音漏れ量を低減することで、騒音をより確実に低減することができる。２つの反射壁が末広がりの姿勢になっていることで、ポリゴンミラー４８から発生した後、ポリゴンミラー４８を境にして共鳴器ユニット１３０とは反対側に進んだ音も、共鳴器ユニット１３０に向けて反射させることができる。
【００４６】
なお、実施形態に係る複写機５００では、反射壁対を補強用のリブ壁として兼用していることで、低コスト化を実現している。
【００４７】
以上に説明したものは一例であり、本発明は、次の態様毎に特有の効果を奏する。
［態様Ａ］
態様Ａは、駆動源（例えばポリゴンモーター４９）によって駆動した偏向鏡（例えばポリゴンミラー４８）により、光源（例えばレーザー光源１２７）から発せられる光の進行方向を偏向する偏向手段（例えばポリゴンスキャナー１２０）と、前記偏向手段から発せられる騒音を低減するための共鳴空間、及び騒音を前記共鳴空間の外から中に導くために前記共鳴空間に連通する共鳴通路（例えば貫通穴１２５ｃ）を具備する共鳴器（例えばヘルムホルツ共鳴器１４１〜１４５）と、少なくとも前記偏向手段及び前記反射部材を収容する筺体（例えば筐体１２５）とを有する光走査装置（例えば光走査装置４７）において、前記共鳴通路の入口を前記偏向鏡の鏡面投影領域内に位置させつつ、前記偏向鏡の鏡面と前記入口との間に、前記偏向鏡とは別の光学系部品（例えば折り返しミラー１２６）を介在させるように、前記共鳴器を配設したことを特徴とするものである。
【００４８】
かかる構成では、共鳴器を偏向鏡の鏡面投影領域内に位置させるレイアウトにおいて、駆動中の偏向鏡の鏡面で発生して共鳴器の共鳴通路の入口に向けて真っ直ぐに進んだ気流が、共鳴通路の入口の手前で偏向鏡とは別の光学系部品に当たって方向転換する。このように、別の光学系部品は、駆動中の偏向鏡の鏡面で発生して共鳴器の共鳴通路の入口に向けて進む気流の入口への直接到達を阻止する。偏向鏡とは別の光学系部品に当たって方向転換するのに伴って勢いを弱められた気流の一部が乱流となって光学系部品を乗り越えて共鳴通路の入口に到達したとしても、勢いの弱いその乱流による笛音用騒音はあまり発生しない。このように、偏向鏡とは別の光学系部品が気流の共鳴通路の入口への直接到達を阻止して笛音様騒音の発生を抑えることで、笛音用騒音に起因する騒音の増大を抑えることができる。更には、笛音様騒音を低減するための新たな共鳴器を設けなくても、笛音様騒音の発生を抑えることが可能であることから、新たな共鳴器を設けることによるコストアップを回避することもできる。
【００４９】
［態様Ｂ］
態様Ｂは、態様Ａにおいて、前記共鳴器を複数設け、且つ、それら複数の前記共鳴器にそれぞれ設けられた前記共鳴通路の入口の全てと、前記偏向鏡の鏡面との間に、前記別の光学系部品を介在させたことを特徴とするものである。かかる構成においては、全ての共鳴器について、気流を共鳴通路の入口に進入させることによる笛音様騒音の発生を抑えることができる。
【００５０】
［態様Ｃ］
態様Ｃは、態様Ａ又はＢにおいて、前記筐体の側壁を前記共鳴器の前記共鳴通路が設けられた側壁として兼用し、前記共鳴器における前記側壁を除く他の側壁を前記筐体に対して外部から固定し、且つ、前記別の光学系部品を配設しない状態の前記筐体内で前記偏向鏡を経由した後の光の光路上に前記共鳴通路を配設したことを特徴とするものである。かかる構成では、筐体の側壁を共鳴器の側壁として兼用することで、低コスト化を図ることができる。更には、別の光学系部品及び前記他の側壁を取り外した状態で運転することで、偏向手段を経由した後の光を共鳴通路に通して光走査装置の外部に出射し、外部でそのビーム径を測定することを可能にして、測定結果を光学系部品の微調整に役立てることができる。
【００５１】
［態様Ｄ］
態様Ｄは、態様Ａ〜Ｄの何れかにおいて、前記偏向鏡から発生した後、前記共鳴器に向かう方向とは異なる方向に進行した音を、前記共鳴器に向けて反射させる反射壁を、前記筐体内に設けたことを特徴とするものである。かかる構成では、異なる方向に進行した光の音漏れを抑えることで、騒音の発生をより抑えることができる。
【００５２】
［態様Ｅ］
態様Ｅは、態様Ｄにおいて、前記反射壁として、互いに前記偏向鏡を介して相対向しながら、偏向鏡側から共鳴器側に向けて末広がりとなる姿勢で配設された２つの反射壁からなる反射壁対を設けたことを特徴とするものである。かかる構成では、駆動中の偏向鏡によって発生して共鳴器とは正反対の方向に進んだ音であっても、反射壁対によって共鳴器に向けて反射させることができる。
【００５３】
［態様Ｆ］
態様Ｆは、態様Ｄ又はＥにおいて、前記反射壁を、補強のためのリブ壁として兼用したことを特徴とするものである。かかる構成では、反射壁をリブ壁と兼用することで低コスト化を図ることができる。
【００５４】
［態様Ｇ］
態様Ｇは、走査対象物たる感光体（例えば感光体１０）と、光走査によって前記感光体に潜像を形成する光走査手段（例えば光走査装置４７）と、前記潜像を現像する現像手段（例えば現像装置１２）とを備える画像形成装置において、前記光走査手段として、請求項１乃至６の何れかに記載の光走査装置を用いたことを特徴とするものである。かかる構成では、光走査装置４７内で笛音様騒音を発生させてしまうことによる騒音の増大を回避しつつ、笛音様騒音を低減するための新たな共鳴器を設けることによるコストアップを回避することができる。
【符号の説明】
【００５５】
１０：感光体
１２：現像装置（現像手段）
４７：光走査装置
４８：ポリゴンミラー（偏向鏡）
４９：ポリゴンモーター（駆動源）
１２０：ポリゴンスキャナー（偏向手段）
１２５：筐体
１２５ａ：蓋部材
１２５ｂ：本体部
１２５ｃ：貫通穴（共鳴通路）
１２６：折り返しミラー（別の光学系部品）
１３０：共鳴器ユニット
１３１：共鳴ユニットカバー（他の側壁など）
１４１；第１ヘルムホルツ共鳴器
１４２；第２ヘルムホルツ共鳴器
１４３；第３ヘルムホルツ共鳴器
１４４；第４ヘルムホルツ共鳴器
１４５；第５ヘルムホルツ共鳴器
５００：複写機（画像形成装置）
【先行技術文献】
【特許文献】
【００５６】
【特許文献１】特開２００５−２０２１１７号公報
【図１】
2015215547.tif 000003
【図２】
2015215547.tif 000004
【図３】
2015215547.tif 000005
【図４】
2015215547.tif 000006
【図５】
2015215547.tif 000007
【図６】
2015215547.tif 000008
【図７】
2015215547.tif 000009
【図８】
2015215547.tif 000010
【図９】
2015215547.tif 000011
【図１０】
2015215547.tif 000012